(57)【要約】【課題】収容可能な肘掛部の省スペース化を実現可能な肘掛部を提供することを目的とする。【解決手段】上壁部と前記上壁部の側方に設けられた側壁部とから構成された可動部と、前記側壁部の少なくとも一部を収容可能な収容部と前記収容部の側方に設けられた下壁部とから構成された本体部と、を有し、前記上壁部又は前記下壁部の少なくとも一方には、使用者の腕部を施療するための施療部が設けられており、前記上壁部と前記下壁部は、互いに対向するように配置されており、前記可動部を前記収容部に対して上下に移動させるための移動手段を有し、前記可動部は、前記上壁部と前記下壁部が離反し、前記上壁部と前記下壁部との間で使用者の腕部を施療可能な使用状態と、前記上壁部と前記下壁部が接近し、前記上壁部に使用者の腕部を載置可能な収納状態と、に切り替えることができることを特徴とする。【選択図】      図１
2020010742.tif 000002
【特許請求の範囲】
【請求項１】
上壁部と前記上壁部の側方に設けられた側壁部とから構成された可動部と、
前記側壁部の少なくとも一部を収容可能な収容部と前記収容部の側方に設けられた下壁部とから構成された本体部と、を有し、
前記上壁部又は前記下壁部の少なくとも一方には、使用者の腕部を施療するための施療部が設けられており、
前記上壁部と前記下壁部は、互いに対向するように配置されており、
前記可動部を前記収容部に対して上下に移動させるための移動手段を有し、
前記可動部は、
前記上壁部と前記下壁部が離反し、前記上壁部と前記下壁部との間で使用者の腕部を施療可能な使用状態と、
前記上壁部と前記下壁部が接近し、前記上壁部に使用者の腕部を載置可能な収納状態と、に切り替えることができることを特徴とする肘掛部。
【請求項２】
前記移動手段は、エアセルとガイドローラーとで構成されることを特徴とする請求項１に記載の肘掛部。
【請求項３】
前記移動手段は、前記可動部を前記収容部に対して任意の位置で固定するためのロック手段を更に備えることを特徴とする請求項１又は２に記載の肘掛部。
【請求項４】
前記ロック手段は、爪部と前記爪部と噛合する爪受部とで構成されることを特徴とする請求項３に記載の肘掛部。
【請求項５】
前記ロック手段を解除し、前記可動部を前記収容部に対して上下に移動可能にさせるためのロック解除手段を更に備えることを特徴とする請求項３又は４に記載の肘掛部。
【請求項６】
前記収容部には窓部が設けられており、
前記ロック解除手段は、前記窓部から突出していることを特徴とする請求項５に記載の肘掛部。
【請求項７】
前記施療部は、エアセルで構成されていることを特徴とする請求項１〜６のいずれかに記載の肘掛部。
【請求項８】
前記側壁部は、上側の第一側壁部と下側の第二側壁部とで構成され、
前記第一側壁部は前記第二側壁部に対して前後方向に移動可能となっていることを特徴とする請求項１〜７のいずれかに記載の肘掛部。
【発明の詳細な説明】
【技術分野】
【０００１】
本発明はマッサージ機に関する。
【背景技術】
【０００２】
従来、非使用時には肘置部の上面に形成された凹部に収納され、使用時には肘置部から臨出して、被施療者の腕部をマッサージするマッサージ手段と、マッサージ手段を上下動可能に支持するスライド機構と、マッサージ手段を上向きに付勢する付勢手段と、マッサージ手段が臨出しないように係止するロック手段とを具えた椅子型マッサージ機が提案されている。（例えば、特許文献１参照。）
【先行技術文献】
【特許文献】
【０００３】
【特許文献１】特許第４８０４１９５号公報
【発明の概要】
【発明が解決しようとする課題】
【０００４】
上記特許文献１に開示された椅子型マッサージ機は、腕部をマッサージするためには、スライド機構を駆動させてマッサージ手段全体を凹部から臨出させる必要があるため、スライド機構にかかる負担が大きくなる。また、マッサージ手段全体を肘置部の上部に形成された凹部に収納するための収納スペースが大型化してしまうという問題があります。
そこで、本発明は、上述した問題を解消するためになされたものであり、移動手段に過度な負担をかけることなく肘掛部に設けられたマッサージ手段を移動させることができ、また、マッサージ手段の収納スペースの省スペース化を図ることができるマッサージ機を提供することを目的とする。
【課題を解決するための手段】
【０００５】
本発明は、上壁部と前記上壁部の側方に設けられた側壁部とから構成された可動部と、前記側壁部の少なくとも一部を収容可能な収容部と前記収容部の側方に設けられた下壁部とから構成された本体部と、を有し、前記上壁部又は前記下壁部の少なくとも一方には、使用者の腕部を施療するための施療部が設けられており、前記上壁部と前記下壁部は、互いに対向するように配置されており、前記可動部を前記収容部に対して上下に移動させるための移動手段を有し、前記可動部は、前記上壁部と前記下壁部が離反し、前記上壁部と前記下壁部との間で使用者の腕部を施療可能な使用状態と、前記上壁部と前記下壁部が接近し、前記上壁部に使用者の腕部を載置可能な収納状態と、に切り替えることができることを特徴とする。
このような構成とすることにより、側壁部の少なくとも一部を収容可能な収容部を設けることで、移動手段に過度な負担をかけることなく肘掛部に設けられたマッサージ手段を移動させることができ、また、マッサージ手段の収納スペースの省スペース化を図ることができる。
【０００６】
また、前記移動手段は、エアセルとガイドローラーとで構成されることが好ましい。
このような構成とすることにより、エアセルを膨張収縮させて可動部を収容部に対して上下に移動させることができる。また、エアセルを膨脹させた状態を維持することでガイドローラーの移動が固定され、可動部を収容部に対して固定（ロック）することができる。
【０００７】
また、前記移動手段は、前記可動部を前記収容部に対して任意の位置で固定するためのロック手段を更に備えることが好ましい。
このような構成とすることにより、可動部を移動させた位置でロックすることができる。
【０００８】
また、前記ロック手段は、爪部と前記爪部と噛合する爪受部とで構成されることが好ましい。
このような構成とすることにより、爪部は爪受部に対して噛み合うことで可動部を収容部に対して固定（ロック）することができる。
【０００９】
また、前記ロック手段を解除し、前記可動部を前記収容部に対して上下に移動可能にさせるためのロック解除手段を更に備えることが好ましい。
このような構成とすることにより、ロック手段によるロックを解除することができる。
【００１０】
また、前記収容部には窓部が設けられており、前記ロック解除手段は、前記窓部から突出していることが好ましい。
このような構成とすることにより、ロック解除手段を収容部の外側に出すことができるため、使用者は収容部の窓部から突出したロック解除手段を手動で操作することにより、ロックを解除することができる。
【００１１】
また、前記施療部は、エアセルで構成されていることが好ましい。
このような構成とすることにより、使用者の腕部をエアセルによって施療することができる。
【００１２】
また、前記側壁部は、上側の第一側壁部と下側の第二側壁部とで構成され、前記第一側壁部は前記第二側壁部に対して前後方向に移動可能となっていることが好ましい。
このような構成とすることにより、可動部を前後方向に移動させることができるため、施療部による施療範囲を拡大することができる。
【発明の効果】
【００１３】
本発明によれば、移動手段に過度な負担をかけることなく肘掛部に設けられたマッサージ手段を移動させることができ、また、マッサージ手段の収納スペースの省スペース化を図ることができる。
【図面の簡単な説明】
【００１４】
【図１】本発明の一実施形態に係るマッサージ機の斜視図である。
【図２】マッサージ機の機能ブロック図である。
【図３】マッサージユニットの正面図である。
【図４】本発明の一実施形態に係る右側の肘掛部のＡ−Ａ断面図であり、（ａ）は使用状態を示す図であり、（ｂ）は収納状態を示す図である。
【図５】本発明の一実施形態に係る右側の肘掛部のロック手段の拡大図であり、（ａ）はロック手段により可動部がロックされた状態を示す図であり、（ｂ）はロック解除手段により可動部のロックが解除された状態を示す図である。
【図６】本発明の別実施形態に係る右側の肘掛部を面Ａで切断した断面を前方から見た図であり、（ａ）は使用状態を示す図であり、（ｂ）は収納状態を示す図である。
【図７】本発明の一実施形態に係る右側の肘掛部の側面図である。
【発明を実施するための形態】
【００１５】
［マッサージ機の全体構成］
以下、本発明の一実施形態に係るマッサージ機１の全体構成について説明する。
図１は本発明の一実施形態に係るマッサージ機１の斜視図である。図２はマッサージ機１の機能ブロック図である。図３はマッサージユニット１３の正面図である。図４は本発明の一実施形態に係る右側の肘掛部２１のＡ−Ａ断面図であり、（ａ）は使用状態を示す図であり、（ｂ）は収納状態を示す図である。図５は本発明の一実施形態に係る右側の肘掛部２１のロック手段３１の拡大図であり、（ａ）はロック手段３１により可動部２２がロックされた状態を示す図であり、（ｂ）はロック解除手段３２により可動部２２のロックが解除された状態を示す図である。図６は本発明の別実施形態に係る右側の肘掛部を面Ａで切断した断面を前方から見た図であり、（ａ）は使用状態を示す図であり、（ｂ）は収納状態を示す図である。図７は、本発明の一実施形態に係る右側の肘掛部２１の側面図である。
なお、以下の説明で用いる方向の概念は、図１に示すマッサージ機１に着座した使用者から見たときの方向の概念と一致するものとし、その他の場合は適宜説明するものとする。
【００１６】
図１〜図７に示すとおり、本発明の一実施形態に係るマッサージ機１は、使用者が着座する座部３と、座部３の後部に設けられた使用者が凭れる背凭れ部４と、座部３の前部に設けられたフットレスト部５と、座部３の側部に取り付けられた肘掛部２１と、で構成されている。また、マッサージ機１は、使用者に対してマッサージを行なう施療部６（マッサージユニット１３、エアセル１４、１５）と、マッサージ機１が有する機能を制御する制御部７と、マッサージ機１の各種操作を行うためのコントローラ８と、を有している。
【００１７】
施療部６として、モータＭ１〜Ｍ３により駆動される左右で対をなす施療子６２を有するマッサージユニット１３、エアの給排気により膨張収縮するエアセル１４、１５を有している。本実施形態では、背凭れ部４にマッサージユニット１３が設けられ、肘掛部２１にエアセル１４が設けられ、フットレスト部５にエアセル１５が設けられている。なお、各施療部６の配置はこれに限定されない。エアセル１４、１５は、エアを給排気することで使用者を押圧することができる。
【００１８】
［マッサージユニットの構成］
図３に示すとおり、背凭れ部４には、使用者の上半身を後方（背面）からマッサージするマッサージユニット１３が設けられている。このマッサージユニット１３は、左右で対をなすアーム６１と、アーム６１の上下両端部に設けられた施療子６２と、により構成されており、マッサージモータＭ１の駆動により左右の施療子６２が近接離反する揉みマッサージ、及びマッサージモータＭ２の駆動により左右の施療子６２が交互に使用者側へ進退する叩きマッサージを行わせることができる。また、マッサージユニット１３は、昇降モータＭ３の駆動により身長方向に沿って上方又は下方へ移動して、身体に対する位置を変更したり、ローリングマッサージを行わせたりすることができる。背凭れ部４には、身長方向に延設された左右で対をなすガイドレール１６（図１参照）が設けられており、マッサージユニット１３はガイドレール１６に沿って移動する。マッサージユニット１３が身長方向に移動可能であるため、使用者の首から腰の間を施療子６２でマッサージすることができる。
【００１９】
また、図３に示すとおり、マッサージユニット１３は、ベースフレーム６０ａと、ベースフレーム６０ａに支持された可動フレーム６０ｂと、を有している。ベースフレーム６０ａは、その左右両側においてガイドレール１６に嵌合するガイドローラー６３を有している。そして、ラックピニオン等よりなる昇降機構（図示せず）によって、身長方向に沿って移動することができる。可動フレーム６０ｂは、左右方向の揺動軸６４を介してベースフレーム６０ａに支持されている。ベースフレーム６０ａと可動フレーム６０ｂの間には、エアセル等よりなる進退駆動部６５が設けられている。進退駆動部６５の駆動により、可動フレーム６０ｂは揺動軸６４を中心として使用者に対して進退することができる。なお、可動フレーム６０ｂを進退させる構造でなくてもよく、アーム６１に進退駆動部６５を設けてアーム６１のみを進退させる構造であってもよい。
【００２０】
アーム６１は、左右方向に延設された揉み軸６６及び叩き軸６７に連結されている。揉み軸６６の左右両側には、傾斜軸部６６ｂを有する傾斜カム６６ａが設けられており、この傾斜カム６６ａにアーム６１が取り付けられている。左右の傾斜軸部６６ｂは、正面視で略ハの字型となるように揉み軸６６の軸心に対して傾斜している。叩き軸６７の左右両側には、叩き軸６７の軸心に対して偏心した偏心軸部６７ｂを有する偏心カム６７ａが設けられており、この偏心カム６７ａにアーム６１がコンロッド６８を介して取り付けられている。左右の偏心軸部６７ｂは、叩き軸６７の軸心に対する位相が互いに異なっており、具体的には１８０度だけ異なっている。揉み軸６６及び叩き軸６７は、それぞれマッサージモータＭ１，Ｍ２の駆動により回転する。施療子６２は、揉み軸６６の回転により揉みマッサージを行い、叩き軸６７の回転により叩きマッサージを行う。なお、施療子６２が設けられたアーム６１、揉み軸６６、及び叩き軸６７は、可動フレーム６０ｂに支持されている。従って、施療子６２は、可動フレーム６０ｂの移動を介して使用者に対して進退可能である。
【００２１】
アーム６１は、前後方向に揺動自在であり、上側の施療子６２が前方へ突出するようにバネ等よりなる付勢手段（図示せず）により付勢されている。また、図２に示すとおり、マッサージユニット１３は、使用者の身体情報を検出するセンサ６９を有している。このセンサ６９は、アーム６１が所定の揺動位置となったことを検出することで身体情報を得ることができる。具体的に説明すると、マッサージユニット１３を身長方向に沿って上昇させる過程で、上側の施療子６２が肩の上方に到達すると、施療子６２に作用する負荷が解除されて、付勢手段（図示せず）の作用によりアーム６１が前方へ揺動して所定の揺動位置となる。アーム６１が所定の揺動位置となったことをセンサ６９が検出し、その際のマッサージユニット１３の上下位置に基づいて肩の位置を検出する。肩の位置を基準として、その他の部位（首、背中、腰等）の位置を計算により求める。検出された身体情報は制御部７に記憶される。なお、身体情報は使用者自身が入力してもよい。この場合、例えば、コントローラ８を操作して身体情報を入力し、制御部７に記憶させることができる。
【００２２】
［制御系の構成］
図２に示すとおり、マッサージ機１には、マッサージユニット１３、後述する移動手段２４、エアセル１４、１５、これらを動作させるためのマイクロコンピュータ等からなる制御部７が設けられている。この制御部７は、座部３の下方に設けられており、使用者が操作するコントローラ８と接続されており、使用者がコントローラ８を操作することで各種マッサージ動作が行われる。
【００２３】
［座部の構成］
図１に示す通り、座部３は、板状の部材で構成されている。座部３の前後方向後側には、後述する背凭れ部４との干渉を防ぐための切り欠き３ａが設けられており、略凹部状となっている。座部３の上面には、施療部６としてのエアセルを設けてもよい。そうすることで、座部３に着座した使用者の臀部や大腿部をマッサージすることができる。
座部３の前側には、回動軸（図示せず）を介して後述するフットレスト部５が枢支されている。フットレスト部５には、フットレスト用アクチュエータ（図示せず）が設けられている。フットレスト用アクチュエータを駆動させることで、フットレスト部５は回動軸を中心に座部３に対して上下方向に移動することができる。
【００２４】
［背凭れ部の構成］
図１に示す通り、背凭れ部４は、身長方向に長い長方形の部材で構成されている。背凭れ部４の上下方向下側には、座部３との干渉を防ぐための切り欠き４ａが設けられており、凸部状となっている。背凭れ部４の内部には、ガイドレール１６が設けられており、ガイドレール１６を介して後述する施療部６としてのマッサージユニット１３が設けられている。マッサージユニット１３は、座部３に着座した使用者の背面（例えば、肩部や背部、腰部など）をマッサージすることができる。なお、図示していないが、背凭れ部４の各所に施療部６としてのエアセルを設けてもよい。そうすることで、背凭れ部４に凭れた使用者の背面（例えば、肩部や背部、腰部など）のうち、マッサージユニット１３ではマッサージできない箇所をマッサージすることができる。
【００２５】
また、背凭れ部４の下部と座部３の後部とは、回動軸（図示せず）で連結されている。回動軸は、座部３に対して背凭れ部４を前後方向に移動させるべく枢支された左右方向を軸方向とする回動軸である。背凭れ部４と座部３とを回動軸を介して連結することで、背凭れ部４は、座部３に対して回動軸を中心として、前後方向に移動することができる。
【００２６】
［フットレスト部の構成］
図１に示す通り、フットレスト部５は、底壁５ａと、底壁５ａの左右両側から前方へ突設された側壁５ｂと、側壁５ｂの略中央付近から突設された中央壁５ｃと、底壁５ａの下方から前方へ向って底壁５ａと側壁５ｂとに亘って突設された足底壁５ｄとからなる凹部状に形成されている。左右の側壁５ｂの内側には、施療部６としてのエアセル１５が設けられている。また、中央壁５ｃの左右両側にも、施療部６としてのエアセル１５が設けられている。なお、足底壁５ｄの上面にエアセル（図示せず）を設けてもよい。
【００２７】
［肘掛部の構成］
図１、図４〜図７に示す通り、肘掛部２１は、上壁部２２ａと側壁部２２ｂとから構成された可動部２２と、側壁部２２ｂの少なくとも一部を収容可能な収容部２３ａと収容部２３ａの側方に設けられた下壁部２３ｂとから構成された本体部２３と、から構成されている。上壁部２２ａと下壁部２３ｂには、それぞれ施療部６としてのエアセル１４が設けられている。上壁部２２ａと下壁部２３ｂとは互いに対向するように配置されている。収容部２３ａの内部には、可動部２２を使用状態と収納状態とに切り替えるための移動手段２４が設けられている。なお、ここでいう「使用状態」とは、上壁部２２ａと下壁部２３ｂとが離反し、上壁部２２ａと下壁部２３ｂとの間で使用者の腕部を施療可能な状態のことである。また、「収納状態」とは、上壁部２２ａと下壁部２３ｂとが接近し、上壁部２２ａの上面に使用者の腕部を載置可能な状態のことである。
【００２８】
［可動部の構成］
図１、図４〜７に示すとおり、可動部２２は、上壁部２２ａと上壁部２２ａの側方に設けられた側壁部２２ｂとから構成されている。上壁部２２ａの下面には、施療部６としてのエアセル１５が設けられている。
上壁部２２ａの端部と側壁部２２ｂの上端部とを固定することによってＬ字型の構成となっている。
また、側壁部２２ｂは、上下に分割されている。側壁部２２ｂは、上側の第一側壁部２２ｃと下側の第二側壁部２２ｄとから構成されている。第一側壁部２２ｃと第二側壁部２２ｄとの間には、第一側壁部２２ｃを第二側壁部２２ｄに対して前後方向へ移動させるためのガイド手段２５が設けられている。
【００２９】
ガイド手段２５は、図７に示すように、ローラー２５ａとガイドレール２５ｂである。第一側壁部２２ｃの下部にローラー２５ａを設け、第二側壁部２２ｄの上部にガイドレール２５ｂを設ける。ローラー２５ａがガイドレール２５ｂ上を前後方向に移動することで、第一側壁部２２ｃを前後方向に移動させることができる。そうすることで、第一側壁部２２ｃを使用者の腕部の長さに対応させることができるため、施療部６としてのエアセル１４による施療範囲を拡大させることができる。
【００３０】
第二側壁部２２ｄには、後述するロック手段３１とロック解除手段３２が設けられている。ロック手段３１とロック解除手段３２は同じ部材である。ロック手段３１とロック解除手段３２は、後述する収容部２３ａを構成する外壁２３ｅに設けられた窓部２３ｃから突出している。窓部２３ｃは、上下方向に延びる開口である。ロック手段３１とロック解除手段３２を収容部２３ａの窓部２３ｃから外側に突出させることで、使用者が手動でロック手段３１とロック解除手段３２を操作し、可動部２２の移動をロック又はロック解除することができる。
また、第二側壁部２２ｄの下部には、可動部２２を上下方向に移動させるための移動手段２４が設けられている。移動手段２４の構成については、後述する。
【００３１】
［本体部の構成］
図４〜７に示すとおり、本体部２３は、側壁部２２ｂの少なくとも一部を収容可能な収容部２３ａと収容部２３ａの上側の側部に設けられた下壁部２３ｂとから構成されている。収容部２３ａは、座部３側に上下方向に延設した内壁２３ｄと、内壁２３ｄと対向する位置に上下方向に延設した外壁２３ｅと、内壁２３ｄと外壁２３ｅとを連結する底壁２３ｆとで構成された凹部状となっている。外壁２３ｅには、後述するロック解除手段３２が突出するための窓部２３ｃが設けられている。
収容部２３ａの内部には、可動部２２の少なくとも一部を収容可能な空間が形成されている。また、可動部２２を上下方向に移動させるための移動手段２４も設けられている。
【００３２】
［移動手段の構成］
図４、５に示すとおり、移動手段２４は、上方向に付勢されたバネ２４ａである。バネ２４ａは、底壁２３ｆの上部と第二側壁部２２ｄの下部との間に設けられている。バネ２４ａの一方は第二側壁部２２ｄの下部と接続されており、他方は底壁２３ｆの上部と接続されている。バネ２４ａは、常時上方向に付勢されている。そのため、収容部２３ａの内部には、可動部２２を収容部２３ａに対して任意の位置で固定するためのロック手段３１が更に設けられている。移動手段２４によって、可動部２２の上壁部２２ａと本体部２３の下壁部２３ｂとが離反し、上壁部２２ａの下面に設けられたエアセル１４と下壁部２３ｂの上面に設けられたエアセル１４との間で使用者の腕部を施療可能な使用状態と、可動部２２の上壁部２２ａと本体部２３の下壁部２３ｂとが接近し、上壁部２２ａの上面に使用者の腕部を載置可能な収納状態と、に切り替えることができる。
ロック手段３１の構成については、後述する。
【００３３】
また、移動手段２４については、エアセル２７ａとガイドローラー２７ｂとで構成してもよい。移動手段２４をエアセル２７ａとガイドローラー２７ｂとで構成する場合について図６に基づき説明する。
図６は本発明の別実施形態に係る右側の肘掛部を面Ａで切断した断面を前方から見た図であり、（ａ）は使用状態を示す図であり、（ｂ）は収納状態を示す図である。
図６に示すとおり、本体部２３は、側壁部２２ｂの少なくとも一部を収容可能な収容部２３ａと収容部２３ａの上側の側部に設けられた下壁部２３ｂとから構成されている。収容部２３ａは、座部３側に上下方向に延設した内壁２３ｄと、内壁２３ｄと対向する位置に上下方向に延設した外壁２３ｅと、内壁２３ｄと外壁２３ｅとを連結する底壁２３ｆとで構成された凹部状となっている。下壁部２３ｂの一部は、底壁２３ｆと対向するように突出して設けられている。下壁部２３ｂの一部を底壁２３ｆと対向するように突出して設けることで、後述するガイドローラー２７ｂが収容部２３ａから抜け落ちるのを防ぐことができる。
【００３４】
底壁２３ｆの上部と第二側壁部２２ｄの下部との間には、エアセル２７ａが設けられている。エアセル２７ａを膨脹収縮させることで可動部２２を収容部２３ａに対して上下に移動させることができる。また、第二側壁部２２ｄの側部には、ガイドローラー２７ｂが設けられている。ガイドローラー２７ｂを設けることにより、エアセル２７ａを膨張収縮させた際に、内壁２３ｄに沿って可動部２２を安定して上下に移動させることができる。
エアセル２７ａを膨張させると、第二側壁部２２ｄは上方に移動する。第二側壁部２２ｄの上方への移動に伴ってガイドローラー２７ｂも一緒に上方に移動する。底壁２３ｆと対向するように突出して設けられた下壁部２３ｂの一部にガイドローラー２７ｂが当接することで、第二側壁部２２ｄが収容部２３ａから抜け落ちるのを防ぐことができる。
なお、エアセル２７ａの膨脹状態を任意の位置で維持することにより、ガイドローラー２７ｂが任意の位置から下に下がらないよう移動が固定され、第二側壁部２２ｄの下方への移動を制限させることができる。つまり、エアセル２７ａは、可動部２２を収容部２３ａに対して任意の位置で固定するためのロック手段３１を兼ねることができる。
【００３５】
［ロック手段の構成］
図４、５に示すとおり、ロック手段３１は、爪部３１ａと爪部３１ａと噛み合う爪受部３１ｂとから構成されている。爪部３１ａは第二側壁部２２ｄに設けられている。爪部３１ａは円柱状をなしている。爪部３１ａの内部には、爪部３１ａを爪受部３１ｂに係止させて可動部２２を収容部２３ａに対して任意の位置で移動できないよう固定するためのロック状態と、爪部３１ａを爪受部３１ｂから離して可動部２２を収容部２３ａに対して上下方向に移動することができるロック解除状態とに切り替えるための切り替え手段３３が内蔵されている。
【００３６】
切り替え手段３３は、バネ３３ａと爪部３１ａの移動を係止するための係止部３３ｂとで構成されている。爪部３１ａは、外壁２３ｅに設けられた窓部２３ｃから突出するように設けられている。
図５（ａ）に示すとおり、使用者が爪部３１ａを１回押すと、爪部３１ａの内部に設けられたバネ３３ａが収縮する。バネ３３ａが収縮すると、爪部３１ａの先端部は爪受部３１ｂと噛み合うようになる。係止部３３ｂにより、爪部３１ａの先端部と爪受部３１ｂとが噛み合った状態で爪部３１ａの移動が係止される。そうすることで、可動部２２の上下方向の移動をロックすることができる。
【００３７】
図５（ｂ）に示すとおり、使用者が爪部３１ａをもう１回押すと、係止部３３ｂによる爪部３１ａの移動の係止が解除され、バネ３３ａの収縮も解除される。バネ３３ａの収縮が解除され、バネ３３ａが伸長すると、爪部３１ａの先端部は、爪受部３１ｂから離れる方向に移動する。そうすることで、可動部２２の上下方向の移動のロックを解除することができる。
つまり、使用者が爪部３１ａを操作するだけで、簡単にロック状態とロック解除状態とを切り換えることができ、可動部２２を使用状態と収納状態とに位置変更することができる。
【産業上の利用可能性】
【００３８】
本発明は、移動手段に過度な負担をかけることなく肘掛部に設けられたマッサージ手段を移動させることができ、また、マッサージ手段の収納スペースの省スペース化を図ることができるマッサージ機に適用できる。
【符号の説明】
【００３９】
６      施療部
２１    肘掛部
２２    可動部
２２ａ  上壁部
２２ｂ  側壁部
２３    本体部
２３ａ  収容部
２３ｂ  下壁部
２４    移動手段
【図１】
2020010742.tif 000003
【図２】
2020010742.tif 000004
【図３】
2020010742.tif 000005
【図４】
2020010742.tif 000006
【図５】
2020010742.tif 000007
【図６】
2020010742.tif 000008
【図７】
2020010742.tif 000009